(57)【特許請求の範囲】
【請求項１】
壁体の下端部に沿って延長配置され、上記壁体の表面を流下する水の水切りをしつつ、上記壁体の背面側に形成された通気空間に外気を導入する通気水切り材であって、
上記壁体の下端を載置して該壁体を下方から支持する支持板部と、取付基礎部材に載置されて上記壁体の荷重を該取付基礎部材に伝えるベース板部と、上記支持板部から上記壁体の背面側に斜めに延設され、一方の端縁部が上記支持板部に他方の端縁部が上記ベース板部に各々接合して支持板部及びベース板部と一体となり、且つ多数の通気孔が横方向に並んで開口形成された傾斜板部と、上記通気孔より上記壁体の表面側において、上記支持板部又は傾斜板部から揺動可能に垂下される弁板部とからなり、
該弁板部を上記壁体の背面側に揺動させて上記傾斜板部と密着させることにより、上記通気孔を閉塞することを特徴とする通気水切り材。
【請求項２】
上記支持板部と上記傾斜板部との接合部から上方に向かって立設する垂直板部をさらに備えることを特徴とする請求項１記載の通気水切り材。
【請求項３】
上記弁板部より上記壁体の表面側における上記支持板部には、下方に向かって突出する水切り板が設けられている請求項１又は２に記載の通気水切り材。
【請求項４】
上記傾斜板部が、水平方向に対して略４５゜の角度で斜めに延設されることを特徴とする請求項１〜３のいずれかに記載の通気水切り材。
【請求項５】
請求項１〜４のいずれかに記載の通気水切り材を用いた通気水切り構造であって、上記ベース板部を取付基礎部材に載置し、上記支持板部に壁体の下端を載置して、上記通気水切り材を上記壁体の下端部に沿って延長配置し、上記弁板部又は上記水切り板によって上記壁体の表面を流下する水の水切りをしつつ、上記壁体の背面に形成した通気空間に、上記傾斜板部に形成された通気孔を介して外気を導入することを特徴とする通気水切り構造。
【請求項６】
上記取付基礎部材の上面に沿って床下部に横方向通気空間が形成されており、上記傾斜板部の通気孔を介して、上記壁体背面の通気空間及び上記横方向通気空間の双方に外気を導入することを特徴とする請求項５記載の通気水切り構造。
【請求項７】
上記壁体が、モルタル仕上げ等の湿式仕上げによる壁体である請求項５又は６に記載の通気水切り構造。
【請求項８】
上記壁体が、サイディング材等の乾式仕上げによる壁体である請求項５又は６に記載の通気水切り構造。
【発明の詳細な説明】
【０００１】
【発明の属する技術分野】
本発明は、壁体の下端部に沿って延長配置され、壁体の表面を流下する水の水切りをしつつ、壁体の背面側に形成された通気空間内に外気を導入する通気水切り材、及びこの通気水切り材を用いた通気水切り構造に関する。
【０００２】
【従来の技術及び発明が解決しようとする課題】
例えば建築物の外壁を構成する壁体の背面に外気を導入して、結露やカビ、あるいは壁体の反り等を防止するための手段として、壁体の下端部には、例えば図３に示すような通気水切り材５０が設けられる。この通気水切り材５０は、防蝕加工が施された断面略コの字状の部材であって、その上方片５１の前方部に壁体５２を立設載置すると共に、その下方片５３を基礎部材５４上に載置して、壁体５２を支持しつつ当該壁体５２の下端部に沿って延長配置される。
【０００３】
また、上方片５１の後方部には上方通気孔５５が、側方片５６には側方通気孔５７が、壁体５２の延長方向に所定間隔をおいて横方向に各々複数開口形成されていて、上方通気孔５５を介して壁体５２背面の通気空間５８に、側方通気孔５７を介して床面下方の通気空間５９に、各々外気が導入される。
【０００４】
さらに、上方片５１の下面側には、水切り片６０が下方に突出配置されていて、壁体５２の表面を流下する雨水等の水が、壁体５２から上方片５１の下面を伝って各通気孔５５，５７から各通気空間５８，５９に侵入するのを防止する。
【０００５】
しかしながら、上記通気水切り材５０を用いた通気水切り構造によれば、特に風雨の強い場合などにおいては、風雨をまともに受けると、雨水が各通気孔５５，５７から各通気空間５８，５９に吹き込んできてしまう場合があった。
【０００６】
本発明は、かかる従来の課題を鑑みてなされたもので、風雨が強い場合であっても、通気孔から雨水が吹き込むのを容易に防止することのできる、通気水切り材、及びこの通気水切り材を用いた通気水切り構造を提供することを目的とする。
【０００７】
【課題を解決するための手段】
本発明は、壁体の下端部に沿って延長配置され、上記壁体の表面を流下する水の水切りをしつつ、上記壁体の背面側に形成された通気空間に外気を導入する通気水切り材であって、上記壁体の下端を載置して該壁体を下方から支持する支持板部と、取付基礎部材に載置されて上記壁体の荷重を該取付基礎部材に伝えるベース板部と、上記支持板部から上記壁体の背面側に斜めに延設され、一方の端縁部が上記支持板部に他方の端縁部が上記ベース板部に各々接合して支持板部及びベース板部と一体となり、且つ多数の通気孔が横方向に並んで開口形成された傾斜板部と、上記通気孔より上記壁体の表面側において、上記支持板部又は傾斜板部から揺動可能に垂下される弁板部とからなり、該弁板部を上記壁体の背面側に揺動させて上記傾斜板部と密着させることにより、上記通気孔を閉塞することを特徴とする通気水切り材を提供することにより、上記目的を達成したものである（請求項１記載の発明）。
【０００８】
また、本発明の通気水切り材は、上記支持板部と上記傾斜板部との接合部から上方に向かって立設する垂直板部をさらに備えることが好ましい（請求項２記載の発明）。
【０００９】
さらに、本発明の通気水切り材は、上記弁板部より上記壁体の表面側における上記支持板部には、下方に向かって突出する水切り板を設けることが好ましい（請求項３記載の発明）。
【００１０】
さらにまた、本発明の通気水切り材は、上記傾斜板部が、水平方向に対して略４５゜の角度で斜めに延設されることが好ましい（請求項４記載の発明）。
【００１１】
一方、本発明は、上記通気水切り材のいずれかを用いた通気水切り構造であって、上記ベース板部を取付基礎部材に載置し、上記支持板部に壁体の下端を載置して、上記通気水切り材を上記壁体の下端部に沿って延長配置し、上記弁板部又は上記水切り板によって上記壁体の表面を流下する水の水切りをしつつ、上記壁体の背面に形成した通気空間に、上記傾斜板部に形成された通気孔を介して外気を導入することを特徴とする通気水切り構造を提供することにより、上記目的を達成したものである（請求項５記載の発明）。
【００１２】
また、本発明の通気水切り構造は、上記取付基礎部材の上面に沿って床下部に横方向通気空間を形成し、上記傾斜板部の通気孔を介して、上記壁体背面の通気空間及び上記横方向通気空間の双方に外気を導入することが好ましい（請求項６記載の発明）。
【００１３】
さらに、本発明の通気水切り構造は、上記壁体を、モルタル仕上げ等の湿式仕上げによる壁体とすることが好ましい（請求項７記載の発明）。
【００１４】
さらにまた、本発明の通気水切り構造は、上記壁体を、サイディング材等の乾式仕上げによる壁体とすることが好ましい（請求項８記載の発明）。
【００１５】
【発明の実施の形態】
本発明の好ましい実施形態を添付図面を参照しつつ詳細に説明する。本実施形態に係る通気水切り構造１０は、建築物の外壁面を構成する例えば１５ｍｍ程度の厚さのモルタルによる壁体１１の背面に形成された、例えば２０ｍｍ程度の幅の背面通気空間１２に外気を導入するために設けられるもので、図１に示すように、取付基礎部材１３上に、後述する通気水切り材２０を、壁体１１を立設支持させた状態で載置固定することにより構成され、通気水切り材２０に開口形成された通気孔２１を介して背面通気空間１２内に外気が流入し、流入した外気は、例えば壁体１１の上端に設けた排気口から循環排気されることになる。
【００１６】
また、本実施形態によれば、建築物の土台１４は、互いに間隔をおいて取付基礎部材１３上に配設されたパッキン部材１５上に設置され、隣接するパッキン部材１５間の隙間が通気流路１６となって、取付基礎部材１３の上面に沿って床下部に横方向通気空間１７が形成されている。
【００１７】
なお、壁体１１は、建築物躯体の外周面に設けたボード部材１８の外側に設置した縦胴縁１９を介して取り付けられることにより、ボード部材１８との間に間隔を保持して背面通気空間１２を形成している。
【００１８】
通気水切り材２０は、壁体１１の下端部に沿って延長配置され、壁体１１の表面を流下する水の水切りをしつつ、背面通気空間１２及び横方向通気空間１７に外気を導入するための部材であって、例えば防蝕加工が施された鋼材を成形加工して形成される。
【００１９】
この通気水切り材２０は、図２にも示すように、壁体１１を下方から支持する支持板部２２と、取付基礎部材１３に載置されるベース板部２３と、支持板部２２とベース板部２３との間に斜めに延設されて設けられた傾斜板部２４と、支持板部２２の下面から下方に垂下される弁板部２５とによって構成されている。
【００２０】
支持板部２２は、例えば１５ｍｍ程度の幅を有し、当該通気水切り材２０を壁体１１の下端部へ取り付けた際に水平に配設され、その上面に壁体１１の下端部を載置してこれを垂直方向に支持する。また、本実施形態によれば、この支持板部２２には、傾斜板部２４との接合部分から上方に向かって立設する垂直板部２６が設けられ、断面がＬ字形の壁体１１の下端隅角部を画定して、壁体１１を取り付けやすいようになっている。さらに、支持板部２２の上面には凹凸状のノッチングが形成されるとともに、その先端部分に埋め込み係止片２７が突出していて、モルタルからなる壁体１１の下端部における支持板部２２への定着を良好にしている。なお、垂直板部２６には、上下に二段、横方向に連接する多数の円形孔２８が形成されていて、通気水切り材２０を縦胴縁１９に固定するために打込まれる止め付け金具であるタッカーの足部が容易に施工しやすくなっている。
【００２１】
ベース板部２３は、例えば１５ｍｍ程度の幅を有し、支持板部２２と平行に配設され、その下面を取付基礎部材１３の上面側部に密着させた状態で、例えばアンカーボルト等を介して取付基礎部材１３に固定されることにより、支持板部２２を水平に延設させると共に、支持板部２２によって支持される壁体１１の荷重を、取付基礎部材１３に伝達する。
【００２２】
傾斜板部２４は、当該通気水切り材２０を壁体１１の下端部へ取り付けた際に、支持板部２２から壁体１１の背面側に向かって水平方向に対して略４５゜の角度で斜め下方に延設され、一方の端縁部が支持板部２４に、他方の端縁部がベース板部２３に各々接合して、これら支持板部２４及びベース板部２３と一体となり、支持板部２４とベース板部２３との間に、例えば２５ｍｍ程度の間隔を保持する。また、傾斜板部２４には、これの上半部分に沿って、例えば縦１２ｍｍ，横４ｍｍ程度の大きさの、矩形状の通気孔２１が、例えば２ｍｍ程度の間隔をおいて横方向に並んで多数開口形成されている。
【００２３】
弁板部２５は、例えば１５ｍｍ程度の幅を有する厚さ１，５ｍｍ程度の平板状の弁板２９を、例えば３ｍｍ程度の幅の繰り返し可撓可能な軟質の柔軟部３０を介して、支持板部２２の下面から揺動自在に垂下したものである。この弁板部２５は、傾斜板部２４との接合部分に近接する位置において、支持板部２２と共に一体成形されて当該支持板部２２に強固に取り付けられ、また柔軟部３０を中心として弁板２９が揺動し、傾斜板部２４に当接した際に、当該弁板２９によって傾斜板部２４の通気孔２１を閉塞することができるようになっている（図１の２点鎖線参照）。
【００２４】
上記構成を有する本実施形態の通気水切り構造１０によれば、晴天時や風雨が強くない場合においては、傾斜板部２４の通気孔２１を介して背面通気空間１２及び横方向通気空間１７に外気を導入し、これらへの通気を行う。また、壁体１１の表面に沿って流下する雨水等の水が、壁体１１から支持板部２２の下面を伝って移動しようとしても、支持板部２２から垂下する弁板部２５によって水切りされて、通気孔２１への侵入が阻止される。
【００２５】
一方、風雨が強く、強風に伴って雨水が通気孔２１の内部へ吹き込もうとする場合には、支持板部２２から垂下する弁板部２５が強風に煽られれて揺動し、その弁板２９を傾斜板部２４に当接させることにより通気孔２１を閉塞して、当該通気孔２１から雨水が吹き込むのを容易に防止することができる。
【００２６】
また、本実施形態によれば、背面通気空間１２及び横方向通気空間１７の双方の通気を、傾斜板部２４のみに設けた通気孔２１を介して行うことにより、通気水切り材２０の構成をコンパクトにすることができ、また通気孔２１は、傾斜板部２４の上半部分に設けられることにより、その位置が高くなって、通気孔２１への雨水の浸入をさらに確実に防止することができる。
【００２７】
なお、本発明は上記実施形態に限定されることなく種々の変更が可能である。例えば、弁板部２５より壁体１１の表面側における支持板部２２には、下方に向かって突出する水切り板３１を別途に設け（図１の破線参照）、支持板部２２の下面を伝って移動する水の水切りを当該水切り板３１によって行い、弁板部２５は、専ら通気孔２１の開閉のために用いるようにすることもできる。また、壁体は、サイディング材等の乾式仕上げによる壁体によって構成しても良い。さらに、本発明は、壁体背面の通気空間のみを通気する場合にも採用することができる。さらにまた、弁板部は、通気孔により壁体の表面側における位置であれば、傾斜板部に取り付けて垂下させることもできる。
【００２８】
【発明の効果】
以上詳細に説明したように、本発明の通気水切り材及び通気水切り構造によれば、風雨が強い場合であっても、通気孔から雨水が吹き込むのを容易に防止することができる。
【図面の簡単な説明】
【図１】本発明の一実施形態に係る通気水切り構造を示す断面図である。
【図２】本発明の一実施形態に係る通気水切り材を示す破断斜視図である。
【図３】従来の通気水切り構造を示す断面図である。
【符号の説明】
１０  通気水切り構造
１１  壁体
１２  背面通気空間
１３  取付基礎部材
１４  土台
１５  パッキン部材
１６  通気流路
１７  横方向通気空間
１８  ボード部材
１９  縦胴縁
２０  通気水切り材
２１  通気孔
２２  支持板部
２３  ベース板部
２４  傾斜板部
２５  弁板部
２６  垂直板部
２７  埋め込み係止片
２８  円形孔
２９  弁板
３０  柔軟部
３１  水切り板
【図１】
0004061349.tif 000002
【図２】
0004061349.tif 000003
【図３】
0004061349.tif 000004